(57)【要約】【課題】使用済みペットボトルは大半がゴミとして放置されている、しかし、ペットボトルの商品ラベルを内側より照らす事により手軽な広告媒体として使用することが出来るペットボトル用広告表示灯の提供。【解決手段】ペットボトルＰＢのキャップに替わり、電池１０とスイッチ９と発光ダイオード６で構成された灯具１で、使用済みペットボトルの商品ラベルＬＢを内側より鮮明に且つ、効率よく照射出来るよう発光ダイオード６の色や位置を任意に変更できる用にした。【選択図】図１
2012238559.tif 000002
【特許請求の範囲】
【請求項１】
ペットボトルのキャツプ部に電池とスイッチと発光ダイオードによる光源で構成された灯具を備え、ペットボトルの商品ラベルを内側より照射する様、構成した事を特徴とするペットボトルを使用した広告表示灯兼防犯灯。
【請求項２】
表面に標語を記載した光透過性素材で形成された袋を前記ペットボトルに被せる様、構成した事を特徴とするペットボトルを使用した広告表示灯兼防犯灯。
【請求項３】
前記、請求項１並びに２の光源を差し込み式のソケット接続として、発光ダイオードの発光色を任意に変更できるように構成したことを特徴とする請求項１並びに２のペットボトル用広告表示灯兼防犯灯。
【請求項４】
前記、請求項１並びに２の光源の位置を任意に調節し固定する様、構成したことを特徴とする請求項１並びに２のペットボトル用広告表示灯兼防犯灯。
【請求項５】
前記、請求項４の光源の位置調節を継ぎ手方式としたことを特徴とする請求項１並びに２のペットボトル用広告表示灯兼防犯灯。
【請求項６】
前記、請求項４の光源の位置調節をジャバラ方式としたことを特徴とする請求項１並びに２のペットボトル用広告表示灯兼防犯灯。
【請求項７】
前記、請求項４の光源の位置調節をねじ方式としたことを特徴とする請求項１並びに２のペットボトル用広告表示灯兼防犯灯。
【請求項８】
前記、請求項１並びに２のペットボトルのキャツプ部をキャラクターの形状としたことを特徴とする請求項１並びに２のペットボトル用広告表示灯兼防犯灯。
【請求項９】
前記、請求項１並びに２のペットボトルのキャツプ部にキャラクター並びに標語等の言葉を明記したことを特徴とする請求項１並びに２のペットボトル用広告表示灯兼防犯灯。
【請求項１０】
前記、請求項１並びに２のペットボトルの底面に反射材を貼り付けることにより光源の拡散効率を増すよう構成したことを特徴とする請求項１並びに２のペットボトル用広告表示灯兼防犯灯。
【発明の詳細な説明】
【技術分野】
【０００１】  本発明は、使用済みペットボトルを広告灯並びに防犯灯として利用するペットボトル用広告表示灯兼防犯灯に関するものである。
【背景技術】
【０００２】  従来、使用済みペットボトルは廃棄処理されるのが殆んどで原形形状での再利用は殆ど無であった。【０００３】  しかし、最近では防災時や非常時等に使用する照明器具としてペットボトルの蓋とペンシルライトを一体化し、使用済みペットボトルの商品ラベルを剥がして組付ける事による防水型のペットボトル内蔵型照明器具が考案されている。【０００４】  また、暗いところでボトル内の飲料水の容量を確認し、飲用後多目的照明具とする、照明付ボトルキャツプも考案されている。
【先行技術文献】
【実用新案文献】
【０００５】
【実用新案文献】
登録実用新案第３１１１６２６号
【実用新案文献】
登録実用新案第３１４４９１０号
【発明の概要】
【発明が解決しようとする課題】
【０００６】  本発明が解決しようとする問題点は、使用済みペットボトルは容器包装リサイクル法に基づく回収による再資源化率は５０％程度であるが、ペットボトルの原型形状で再利用されるものは、植物の水差しやペットボトル内蔵型照明器具等、ごく僅かで大半は放置ゴミとして環境を悪化されている。【０００７】  そこで、本発明は簡便なる方法で使用済みペットボトルの再利用が出来、放置ゴミを無くし、環境保全に寄与する。
【課題を解決するための手段】
【０００８】  本発明は、ペットボトルのキャツプ部に電池とスイッチと発光ダイオードによる光源で構成された灯具で、光源の位置調節並びに光の色を任意に変更できる構造で、使用済みペットボトルに組み付けることによりペットボトルの商品ラベルを内側より効率よく照射することにより、商品そのものを広告媒体とすることが出来る。【０００９】  また、防犯標語やイベントキャラクター等を表記した光透過性素材で形成された袋に入れて内側より照射することにより、防犯効果の向上及びイベントの効果を向上する。
【発明の効果】
【００１０】  本発明のペットボトルを使用した広告表示灯兼防犯灯はペットボトルの内側から商品ラベルを照射したり、標語や商標を記載した袋を内部より照射する事により商品イメージその物の宣伝効果並びに標語の知名度を高める利点がある。
【図面の簡単な説明】
【００１１】
【図１】  本発明の一実施例を示した説明図である。
【図２】  本発明の一実施例を示した断面図である。
【発明を実施するための形態】
【００１２】  この発明の実施の一形態を図に基づいて詳述すると、ペットボトルＰＢの商品ラベルＬＢを灯具１により内部より照射する、ペットボトル用広告表示灯兼防犯灯であって、該ペットボトル用広告表示灯兼防犯灯は図１に示すようにペットボトル本体ＰＢと灯具１から構成されている。灯具１は本体ケース２と長さを調節できる継ぎ手５と発光ダイオード６より構成され、該継ぎ手５と発光ダイオード６はペットボトルＰＢの口より内部に挿入可能で、且つ、本体ケース２の開口部内側とペットボトルの口の螺子部が圧接する様、構成されたペットボトル用広告表示灯兼防犯灯である。
【００１３】  次に、図２において、ペットボトル用広告表示灯兼防犯灯の灯具１を説明する。灯具１の本体ケース２は下部が窄んだ筒状で下部内面にはペットボトルの口部の螺子と螺着可能な螺子１５が形成されている。また、本体ケース２の上端外周部には電池蓋４を圧入嵌着するリブが形成されている。また、本体ケース２の内側には電池１０とスイッチ９を納める支持枠３が嵌着し固定されるよう構成されている。
【００１４】  また、支持枠３の中央上部には電池１０を収める筒とスイッチ９を収める枠が形成されており、支持枠３の電池収納部の下面には電池１０の（−）接点１１と電池収納部の上部側面には電池１０の（＋）接点１２が組付けられている。
【００１５】  支持枠３の中央下部には筒状の支柱が一体形成されており、その先端には２極の通電コネクター（Ａ）７が組付けられている。
【００１６】  また、支柱と継ぎ手５は通電コネクターにより接続し結合される。継ぎ手５の一方端には通電コネクター（Ｂ）８が他方端には発光ダイオード６が組付けられている。継ぎ手５の長さを変えたり、発光ダイオート６の色を変える事により発光位置や発光色を任意に変更することができる。
【００１７】  発光ダイオード６と通電ソケット（Ｂ）８、並びに通電ソケット（Ａ）７と（−）接点１１と（＋）接点１２とスイッチ９はそれぞれ電気配線１３で接続されている。
【００１８】  また、電池蓋４の外形をキャラクター形状に成型したり、電池蓋４の上面にキャラクターや標語をプリントする事も出来る。
【００１９】  また、継ぎ手５をジャバラ構造にすれば長さを任意に調整することが出来る。
【００２０】  また、継ぎ手５の一方端の発光ダイオード６の取付部をソケット式とし発光ダイオード６を簡便に交換することにより発光色を変える事も出来る。
【００２１】  このペットボトル用広告表示灯兼防犯灯は発光ダイオード６をペットボトルの商品ラベルＬＢを引き立たせる色に変更することが出来、且つ、ペットボトルの商品ラベルＬＢを最も効率良く照射できる位置に発光ダイオード６の位置を調整出来る構造と成っている。また、ペットボトルＰＢの底面に粘着材付の反射材１４を貼り付ける事により発光ダイオード６の光を拡散反射し照明効果を向上させることが出来る。
【産業上の利用可能性】
【００２２】  本発明は、使用済みペットボトルを利用した広告宣伝が可能なので、販売促進用としてのノベルティー用品として適用できる。また、袋の表に標語等を記載する事により防犯グッズ並びにイベントの照明具としても適用できる。
【符号の説明】
【００２３】  １    灯具
２    本体ケース
３    支持枠
４    電池蓋
５    継ぎ手
６    発光ダイオード
７    通電ソケット（Ａ）
８    通電ソケット（Ｂ）
９    スイッチ
１０    電池
１１    （−）接点
１２    （＋）接点
１３    電気配線
１４    反射材
１５    螺子
ＰＢ    ペットボトル
ＬＢ    ラベル
【図１】
2012238559.tif 000003
【図２】
2012238559.tif 000004